(57)【要約】【課題】使用時の温度を簡単に測定し、かつ、適正に内部の温度を推定することができるインバータ点灯装置を提供することを目的とする。【解決手段】発熱する複数の電子部品と、複数の電子部品を内部に収納するケース１６とを備えるインバータ点灯装置１であって、使用時の温度を測定する位置を示す温度測定ポイント６（温度測定ポイント表示）を有し、温度測定ポイント６は、ケース１６の表面であって、複数の電子部品のうち他の電子部品と比較して使用時の温度が高い電子部品である測定対象電子部品１１の近傍（温度測定ポイント表示範囲６０）に備えられる。【選択図】図２
2010232036.tif 000002
【特許請求の範囲】
【請求項１】
発熱する複数の電子部品と、前記複数の電子部品を内部に収納するケースとを備える点灯装置であって、使用時の温度を測定する位置を示す温度測定ポイント表示を有する点灯装置において、
前記温度測定ポイント表示は、
前記ケースの表面であって、前記複数の電子部品のうち他の電子部品と比較して使用時の温度が高い電子部品である測定対象電子部品の近傍に備えられていることを特徴とする点灯装置。
【請求項２】
前記温度測定ポイント表示は、
前記ケースの表面であって、前記ケースの面のうち他の面と比較して前記測定対象電子部品に近い面の表面に備えられることを特徴とする請求項１に記載の点灯装置。
【請求項３】
前記温度測定ポイント表示は、
前記ケースの表面であって、前記測定対象電子部品と対応する前記ケースの裏面領域に対応する前記ケースの表面領域の略中央に備えられることを特徴とする請求項１または２に記載の点灯装置。
【請求項４】
前記点灯装置は、さらに、
前記測定対象電子部品と、前記温度測定ポイント表示の位置に対応する前記ケースの裏面との間に挿入される熱伝導性部材を備えることを特徴とする請求項１〜３のいずれかに記載の点灯装置。
【請求項５】
前記温度測定ポイント表示は、前記測定対象電子部品との距離が略１０ｍｍ以下であることを特徴とする請求項１〜４のいずれかに記載の点灯装置。
【請求項６】
前記温度測定ポイント表示は、液晶温度計であることを特徴とする請求項１〜５のいずれかに記載の点灯装置。
【請求項７】
請求項１から請求項６のいずれかに記載の点灯装置と、前記点灯装置のケースを取り付けるケース取付部とを備える照明器具。
【発明の詳細な説明】
【技術分野】
【０００１】
本発明は、温度測定ポイント表示を備える点灯装置及び照明器具に関する。
【背景技術】
【０００２】
既存の照明器具のリニューアルとして、照明器具に内蔵されている点灯装置（インバータ点灯装置）を交換する場合には、その点灯装置の設計時には想定していなかった照明器具あるいは設置環境となる可能性があるため、その照明器具での適合性の確認として事前にインバータ点灯装置の温度上昇を確認する必要がある。
【０００３】
インバータ点灯装置は、多くの電子部品から構成されており、それぞれの部品には最高使用温度が規定されている。最高使用温度を超えて使用した場合、インバータ点灯装置の短寿命、誤動作、及び故障等の原因となる可能性があるため、各電子部品の温度が最高使用温度以下となる環境下で使用しなくてはならない。
【０００４】
インバータ点灯装置の電子部品はケース内に収められているため、電子部品の温度を測定するためには、ケースを一度開けて、最高使用温度近くまで温度が上昇する電子部品個々に熱電対を取付け、外部に熱電対の配線を出して、使用時の温度を測定する。
【０００５】
また、インバータ点灯装置の従来技術として、インバータ点灯装置内部の電子部品の個々を測定する代わりに、インバータ点灯装置表面に温度測定ポイントを設け、その箇所を測定することで内部の電子部品の温度を推定し、インバータ点灯装置が使用可能か判断する方法が提案されている（特許文献１参照）。
【先行技術文献】
【特許文献】
【０００６】
【特許文献１】特開２００７−１２２９４５号公報
【発明の概要】
【発明が解決しようとする課題】
【０００７】
従来の方法である個々の電子部品に熱電対を取り付けて温度を測定する方法では、ケースを一度開けて、電子部品個々に熱電対を取付け、外部に熱電対の配線を出す必要があり手間であった。
【０００８】
インバータ点灯装置表面に温度測定ポイントを設ける方法では、インバータ点灯装置が取付けられる箇所の形状、材質、他の熱源からの影響の有無、周囲の空気の対流の有無など外的要因により、インバータ点灯装置表面の温度が変わり、温度測定ポイントの設置箇所によっては、内部の電子部品の温度を適正に推定できないという課題があった。
【０００９】
本発明は、上記のような課題を解決するためになされたものであり、インバータ点灯装置のケース内部に配線等する必要がなく、点灯装置の使用時の温度を簡単にかつ適正に測定し推定することができる点灯装置を提供することを目的とする。
【課題を解決するための手段】
【００１０】
本発明に係る点灯装置は、発熱する複数の電子部品と、前記複数の電子部品を内部に収納するケースとを備える点灯装置であって、使用時の温度を測定する位置を示す温度測定ポイント表示を有する点灯装置において、
前記温度測定ポイント表示は、
前記ケースの表面であって、前記複数の電子部品のうち他の電子部品と比較して使用時の温度が高い電子部品である測定対象電子部品の近傍に備えられていることを特徴とする。
【発明の効果】
【００１１】
本発明に係る点灯装置によれば、発熱する複数の電子部品と、前記複数の電子部品を内部に収納するケースとを備える点灯装置であって、使用時の温度を測定する位置を示す温度測定ポイント表示を有する点灯装置において、前記温度測定ポイント表示は、前記ケース表面において、前記複数の電子部品のうち他の電子部品と比較して使用時の温度が高い電子部品である測定対象電子部品の近傍に備えられているので、点灯装置の使用時の温度を簡単に測定することができるとともに適正に内部の温度を推定することができる。
【図面の簡単な説明】
【００１２】
【図１】実施の形態１に係るインバータ点灯装置１の照明器具１００への設置例を示す図である。
【図２】実施の形態１における温度測定ポイント６を表示したインバータ点灯装置１の温度測定ポイント表示範囲６０を示す斜視図である。
【図３】図２のＡ−Ａ断面図である。
【図４】２種類の照明器具（照明器具１０１、照明器具１０２）において、（ａ）温度測定ポイント６と測定対象電子部品１１との距離Ｌ１が１０ｍｍ以下の場合の測定対象電子部品１１の温度と温度測定ポイント６（ケース表面）の温度との関係を示したグラフ、（ｂ）温度測定ポイント６と測定対象電子部品１１との距離Ｌ１が１０ｍｍ以上の場合の測定対象電子部品１１の温度と温度測定ポイント６（ケース表面）の温度との関係を示したグラフである。
【図５】実施の形態１におけるインバータ点灯装置１の温度測定ポイント表示範囲６０を示す他の例を示す斜視図である。
【図６】実施の形態１におけるインバータ点灯装置１の温度測定ポイント表示範囲６０を示す他の例を示す斜視図である。
【図７】実施の形態２に係るインバータ点灯装置１の断面図である。
【図８】実施の形態３に係るインバータ点灯装置１ａの部分斜視図である。
【図９】実施の形態４に係るインバータ点灯装置１の平面図である。
【発明を実施するための形態】
【００１３】
実施の形態１．
図１は、実施の形態１に係るインバータ点灯装置１の照明器具１００への設置例を示す図である。既存の照明器具１００のリニューアルとして照明器具１００にインバータ点灯装置１を設置する場合には、照明器具１００の本体２に直接取付ける場合、点灯装置収納ボックス３に納めて本体２に取付ける場合等、その他様々な設置環境が考えられる。
【００１４】
図１（ａ）は、インバータ点灯装置１が点灯装置収納ボックス３に納められ、照明器具１００ａの本体２に取付けられている状態を示している。照明器具１００ａは、反射板４、本体２を備え、２つのインバータ点灯装置１は点灯装置収納ボックス３に納められて照明器具１００ａの本体２に取付けられている。このとき、インバータ点灯装置１が取り付けられる取付面２１は、点灯装置収納ボックス３の所定の面（底面）となる。
【００１５】
図１（ｂ）は、インバータ点灯装置１が照明器具１００ｂの本体２に取り付けられた状態を示している。図１（ｂ）において、インバータ点灯装置１は、反射板４と本体２に囲まれたエリアに設置される。すなわち、インバータ点灯装置１は、本体２を取付面２１として照明器具１００ｂに取り付けられている。
【００１６】
図１（ｃ）は、本体２あるいは点灯装置収納ボックス３である取付面２１に設置されたインバータ点灯装置１を示す図である。図１（ｃ）において、インバータ点灯装置１のケース１６の表面には、温度測定ポイント６が表示（温度測定ポイント６が配置（設置））されている。インバータ点灯装置１では、ケース１６の表面に表示された温度測定ポイント６に熱電対を設置して、インバータ点灯装置１の温度を測定する。
【００１７】
ここで、温度測定ポイント６を表示する（温度測定ポイント６を配置する、温度測定ポイント６を設置する）とは、温度測定ポイントの位置を測定者に明確に示すための表示をすることを意味する。例えば、温度測定ポイントの位置を黒丸印等のマークを記すことにより示したり、シールを貼付することにより示す。あるいは、温度測定ポイントの位置に、凹み、あるいは、凸部を生成することにより、温度測定ポイントの位置を示す温度測定ポイント表示としてもよい。このように示された温度測定ポイント６を示すための表示を温度測定ポイント表示という。すなわち、本実施の形態におけるインバータ点灯装置１は、温度測定ポイント表示を有するものである。以下では、温度測定ポイント６を示すための温度測定ポイント表示を温度測定ポイント６と呼ぶものとする。
【００１８】
インバータ点灯装置１では、本体２あるいは点灯装置収納ボックス３である取付面２１は、インバータ点灯装置１から発生する熱を放熱する役割を果たしている。取付面２１（本体２もしくは点灯装置収納ボックス３）の放熱効果は、取付面２１（本体２もしくは点灯装置収納ボックス３）の材質、面積、厚さ等により変化する。このため、インバータ点灯装置１内部の電子部品の温度は、インバータ点灯装置１の周囲温度が同じであっても、取付面２１（本体２もしくは点灯装置収納ボックス３）の放熱効果（すなわち、取付面２１（本体２もしくは点灯装置収納ボックス３）の材質、面積、厚さ等）によって異なる。また、インバータ点灯装置１が隣接して設置される（図１（ａ）参照）等、近傍に熱源がある場合もインバータ点灯装置１内部の電子部品の温度に影響を与える。
【００１９】
したがって、インバータ点灯装置１内部の電子部品の温度は、単にインバータ点灯装置１の周囲温度だけで決定されず、温度測定ポイントの設置場所によっては、正確に内部の電子部品の温度を推定できない。
【００２０】
図２は、実施の形態１における温度測定ポイント６を表示したインバータ点灯装置１の温度測定ポイント表示範囲６０を示す斜視図である。図３は、図２のＡ−Ａ断面図である。
【００２１】
本実施の形態に係るインバータ点灯装置１は、発熱する複数の電子部品と、複数の電子部品を内部に収納するケース１６とを備え、使用時の温度を測定する位置を示す温度測定ポイント６（温度測定ポイント表示）を有する。
【００２２】
インバータ点灯装置１のケース１６に収納されている電子部品の中で、他の電子部品と比較して使用時の温度が最も高い電子部品を測定対象電子部品１１とする。測定対象電子部品１１は、使用時の温度がインバータ点灯装置１の最高使用温度に最も近い電子部品である。例えば、測定対象電子部品１１とする電子部品は、使用時の温度が最も早くインバータ点灯装置１の最高使用温度に近付く電子部品でもよい。測定対象電子部品１１以外の電子部品を、測定対象外電子部品２２とする。
【００２３】
図２及び図３において、インバータ点灯装置１は、取付面２１に取り付けられている。インバータ点灯装置１は、基板１０を有し、基板１０の電子部品取付面２３には複数の電子部品（測定対象電子部品１１、測定対象外電子部品２２）が取り付けられている。基板１０の、電子部品取付面２３の裏面にはチップ部品１３が取り付けられている（図３参照）。
【００２４】
温度測定ポイント６は、ケース１６の表面であって、複数の電子部品のうち他の電子部品と比較して使用時の温度が高い電子部品である測定対象電子部品１１の近傍に備えられる。
【００２５】
測定対象電子部品１１近傍のケース１６の表面とは、例えば、測定対象電子部品１１の有する面の中で、ケース１６の面に一番近くにありケース１６の表面に対向している面（以下、近接対向面１１１という）に対応する部位である。ケース１６の表面と測定対象電子部品１１の近接対向面１１１とは、略平行である場合が多い。図２及び図３では、ケース１６の表面と測定対象電子部品１１の近接対向面１１１とは、略平行である状態を示している。
【００２６】
ケース１６の面の近接対向面１１１に対応する面とは、近接対向面１１１の面に対して略垂直に影を落とした場合に、ケース１６において影となる範囲である。あるいは、近接対向面１１１を対向するケース１６の面に向けて略垂直に移動させた場合に、ケース１６の面と接触する（重なる）範囲である。図２において、ケース１６の表面の近接対向面１１１に対応する面を温度測定ポイント表示範囲６０とする。インバータ点灯装置１では、温度測定ポイント表示範囲６０内に温度測定ポイント６を備える。また、温度測定ポイント６は、温度測定ポイント表示範囲６０の略中央に備えられるのが好ましい。
【００２７】
温度測定ポイント表示範囲６０は、ケース１６の表面であって、ケース１６の面のうち他の面と比較して測定対象電子部品１１に近い面の表面に備えられる。また、温度測定ポイント表示範囲６０は、ケース１６の表面であって、測定対象電子部品１１の近接対向面１１１と対応するケース１６の裏面領域に対応するケース１６の表面領域である。
【００２８】
図２及び図３では、温度測定ポイント６が表示されるのは、インバータ点灯装置１のケース１６の表面のうちの上面である場合を示したが、これ以外のケース１６の側面や底面であっても構わない。図２、図３の説明は、ケース１６の表面であればどこでも適用可能である。
【００２９】
通常、ケース１６の底面は、取付面２１に取り付けられているので、ケース１６の底面に温度測定ポイント６を設置するのは稀である。最高使用温度に近い電子部品（測定対象電子部品１１）が、図３に示すチップ部品１３である場合には、温度測定ポイント６はケース側面に設ければよい。
【００３０】
図２では、温度測定ポイント６は、温度測定ポイント表示範囲６０の略中心付近に配置している。このように、温度測定ポイント６は、温度測定ポイント表示範囲６０の略中心Ｐ１付近に配置するのが好ましい。あるいは、温度測定ポイント６は、温度測定ポイント表示範囲６０内であれば、端付近Ｐ２に設置してもよい。
【００３１】
あるいは、温度測定ポイント６は、温度測定ポイント表示範囲６０外であっても、温度測定ポイント表示範囲６０の近傍Ｐ３であれば構わない。Ｐ３は温度測定ポイント表示範囲６０の外ではあるが、Ｐ３と温度測定ポイント表示範囲６０の最短距離ｌ２は、Ｐ３と測定対象外電子部品２２の近接対向面１１１ａに対応する測定外範囲６１との最短距離ｌ１よりも短い。このような位置であれば、測定対象電子部品１１の近傍のケース１６の表面であると言っても構わない。
【００３２】
また、温度測定ポイント６と測定対象電子部品１１との距離Ｌ１（すなわち、温度測定ポイント６が設置されているケース１６の表面部分と測定対象電子部品１１との距離Ｌ１）は、短い方が好ましい。温度測定ポイント６と測定対象電子部品１１との距離Ｌ１は、短い方がインバータ点灯装置１のケース１６内部の温度を適正に測定することができる。
【００３３】
図４は、２種類の照明器具（照明器具１０１、照明器具１０２）において、（ａ）温度測定ポイント６と測定対象電子部品１１との距離Ｌ１が１０ｍｍ以下の場合の測定対象電子部品１１の温度と温度測定ポイント６（ケース表面）の温度との関係を示したグラフ、（ｂ）温度測定ポイント６と測定対象電子部品１１との距離Ｌ１が１０ｍｍより大（長い）場合の測定対象電子部品１１の温度と温度測定ポイント６（ケース表面）の温度との関係を示したグラフである。
【００３４】
照明器具１０１と照明器具１０２ともに、測定対象電子部品１１の温度と温度測定ポイント６の温度とは比例の関係にある。温度測定ポイント６と測定対象電子部品１１との距離Ｌ１が１０ｍｍ以下の場合の図４（ａ）のグラフでは、照明器具１０１と照明器具１０２との、測定対象電子部品１１の温度と温度測定ポイント６の温度とは比例の割合が一致している。
【００３５】
しかし、温度測定ポイント６と測定対象電子部品１１との距離Ｌ１が１０ｍｍより大の（長い）場合の図４（ｂ）のグラフでは、照明器具１０１と照明器具１０２との、それぞれの測定対象電子部品１１の温度と温度測定ポイント６の温度との比例の割合は一致していない。このような場合は、温度測定ポイント６の温度からインバータ点灯装置１の内部の電子部品の温度を正確に推定することはできない。しかし、図４（ａ）は照明器具１０１と照明器具１０２の近似線がほぼ一致し、温度測定ポイント６の温度の比例の割合が設置される照明器具の種類によらずほぼ一定であり、正確にインバータ点灯装置１内部の電子部品の温度を推定することが可能となる。
【００３６】
このように、温度測定ポイント６と測定対象電子部品１１との距離Ｌ１（すなわち、温度測定ポイント６が設置されているケース１６の表面部分と測定対象電子部品１１との距離Ｌ１）は、短い方が好ましい。距離Ｌ１は、１０ｍｍ以下がより好ましい。
【００３７】
図５は、実施の形態１におけるインバータ点灯装置１の温度測定ポイント表示範囲６０を示す他の例を示す斜視図である。図５において、図２と異なる点は、測定対象電子部品１１の形状である。図５において、測定対象電子部品１１の形状は、ケース１６の表面に対向する面が斜めになっている。つまり、測定対象電子部品１１の面のうちケース１６の表面に一番近く対向する面である近接対向面１１１と、ケース１６の表面とが平行になっていない。
【００３８】
このような場合は、斜めの近接対向面１１１の各頂点をケース１６の表面（上面）に略垂直に移動させ、移動させた各頂点とケース１６の表面（上面）との交点を各頂点とする範囲を温度測定ポイント表示範囲６０とする。つまり、温度測定ポイント表示範囲６０は、測定対象電子部品１１の影をケース１６の上面に略垂直に落とした場合の、ケース１６の上面にできる影に対応する範囲である。温度測定ポイント６は、温度測定ポイント表示範囲６０内の範囲に設置することが好ましい。
【００３９】
このとき、測定対象電子部品１１と温度測定ポイント６との距離は、温度測定ポイント表示範囲６０内のＰ４点ではＬ３であり、Ｐ２点ではＬ２である。この場合は、温度測定ポイント表示範囲６０内のうち、測定対象電子部品１１との距離が一番短い点（図５ではＰ４点）に温度測定ポイント６を設置することが好ましい。さらには、Ｐ４点に設置した温度測定ポイント６と測定対象電子部品１１との距離Ｌ３は、１０ｍｍ以下であることが好ましい。
【００４０】
また、ここでは、測定対象電子部品１１の近接対向面１１１と対向するケース１６の表面は上面である場合について説明したが、測定対象電子部品１１の近接対向面１１１と対向するケース１６の表面は、ケース１６の側面であってもよいし、底面が取付面でない場合には底面であってもよい。ケース１６表面であればどこでも適用可能である。
【００４１】
図６は、実施の形態１におけるインバータ点灯装置１の温度測定ポイント表示範囲６０を示す他の例を示す斜視図である。図６では、説明の簡単のため、インバータ点灯装置１のケース１６内部に収納されているのは測定対象電子部品１１のみとしてある。図６では、インバータ点灯装置１のケース１６の上面が傾斜している場合について説明する。ここでは、測定対象電子部品１１の近接対向面１１１と対向するケース１６の表面は上面であり、上面が傾斜している場合について説明するが、測定対象電子部品１１の近接対向面１１１と対向するケース１６の表面は、ケース１６の側面であってもよいし、底面が取付面でない場合には底面であってもよい。ケース１６表面であればどこでも適用可能である。
【００４２】
図６（ａ）は、測定対象電子部品１１の近接対向面１１１の各頂点をケース１６の上面に向かって鉛直に降ろし、ケース１６の上面と交わる各交点を結んだ範囲内を温度測定ポイント表示範囲６０ａとしている。温度測定ポイント６は、温度測定ポイント表示範囲６０ａ内の範囲に設置することが好ましい。
【００４３】
また、測定対象電子部品１１と温度測定ポイント６との距離は、温度測定ポイント表示範囲６０ａ内のＰ５点ではＬ５であり、Ｐ６点ではＬ６である。この場合は、温度測定ポイント表示範囲６０ａ内のうち、測定対象電子部品１１との距離が一番短い点（図６（ａ）ではＰ５点）に温度測定ポイント６を設置することが好ましい。さらには、Ｐ５点に設置した温度測定ポイント６と測定対象電子部品１１との距離Ｌ５は、１０ｍｍ以下であることが好ましい。
【００４４】
図６（ｂ）は、測定対象電子部品１１の近接対向面１１１の各頂点をケース１６の上面に向かって略垂直に降ろし、ケース１６の上面と交わる各交点を結んだ範囲内を温度測定ポイント表示範囲６０ｂとしている。温度測定ポイント６は、温度測定ポイント表示範囲６０ｂ内の範囲に設置することが好ましい。
【００４５】
また、測定対象電子部品１１と温度測定ポイント６との距離は、温度測定ポイント表示範囲６０ｂ内のＰ８点ではＬ７であり、Ｐ９点ではＬ８である。この場合は、温度測定ポイント表示範囲６０ｂ内のうち、測定対象電子部品１１との距離が一番短い点（図６（ｂ）ではＰ８点）に温度測定ポイント６を設置することが好ましい。さらには、Ｐ８点に設置した温度測定ポイント６と測定対象電子部品１１との距離Ｌ７は、１０ｍｍ以下であることが好ましい。
【００４６】
また、図６（ａ）のように設定した温度測定ポイント表示範囲６０ａと温度測定ポイント表示範囲６０ｂとを合わせた範囲を温度測定ポイント表示範囲６０ｃ（図示せず）としてもよい。この場合も、温度測定ポイント６は、温度測定ポイント表示範囲６０ｃ内に設置されることが好ましく、さらに測定対象電子部品１１と温度測定ポイント６との距離が一番短くなる位置に設置されることが好ましい。また、設置された温度測定ポイント６と測定対象電子部品１１との距離は１０ｍｍ以下であることが好ましい。
【００４７】
実施の形態１では、以下のような特徴と有するインバータ点灯装置１について説明した。インバータ点灯装置１のケース１６の表面に温度測定ポイント６を設け、温度測定ポイント６はインバータ点灯装置１内部の電子部品のうち、最高使用温度に近い部品（測定対象電子部品１１）の近傍であることを特徴とする。
【００４８】
前記温度測定ポイント６は、最高使用温度に近い部品（測定対象電子部品１１）とケース１６の表面との距離が１０ｍｍ以下であることを特徴とする。
【００４９】
温度測定ポイント６において温度を測定した結果により、インバータ点灯装置１の内部の電子部品がインバータ点灯装置１の最高使用温度以下であるかを推定し、インバータ点灯装置１の使用可否を判断でき、またその温度から、インバータ点灯装置１の寿命を推定できることを特徴とする。
【００５０】
本実施の形態に係るインバータ点灯装置１によれば、インバータ点灯装置１のケース内部に配線等をする必要がなく、インバータ点灯装置１の使用時の温度を簡単に測定することができ、かつ、インバータ点灯装置１の使用時の温度を高精度に推定することができる。
【００５１】
実施の形態２．
図７は、実施の形態２に係るインバータ点灯装置１の断面図である。図７は、実施の形態１において説明した図３に対応する図である。図７の図３と異なる点は、熱伝導性物質１２を備える点である。本実施の形態のインバータ点灯装置１は、測定対象電子部品１１と、温度測定ポイント６の位置に対応するケース１６の裏面との間に挿入される熱伝導性物質１２（熱伝導性部材）を備える。
【００５２】
最高使用温度に近い電子部品（すなわち、測定対象電子部品１１）とケース１６との距離が１０ｍｍ以上あり温度測定ポイント６との距離が１０ｍｍ以上となる場合、図７に示すように、放熱シートなどの熱伝導性物質１２を、測定対象電子部品１１と温度測定ポイント６の位置に対応するケース１６の裏面との間に挿入する。これにより、温度測定ポイント６が設置されたケース１６の表面部分と測定対象電子部品１１とが、ケース内周面に接触させた熱伝導性物質１２を介して連続して繋がることになる。この場合、温度測定ポイント６において測定される温度は、より測定対象電子部品１１の温度に近くなり、インバータ点灯装置１の内部の温度を適正に測定することができる。
【００５３】
測定対象電子部品１１とケース１６との距離が１０ｍｍ以下（測定対象電子部品１１と温度測定ポイント６との距離が１０ｍｍ以下）の場合であっても、測定対象電子部品１１と温度測定ポイント６の位置に対応するケース１６の裏面との間に熱伝導性物質１２を挿入してもよい。
【００５４】
実施の形態２に係るインバータ点灯装置１において、温度測定ポイント６は、最高使用温度に近い部品（測定対象電子部品１１）が熱伝導性のものを介してケース内周面に接触させた裏面近傍に設置されることを特徴とする。
【００５５】
実施の形態３．
図８は、実施の形態３に係るインバータ点灯装置１ａの部分斜視図である。本実施の形態に係るインバータ点灯装置１ａは、ケース１６の側面に沿って配置された自立形電子部品１４を備えている。自立形電子部品１４は、クリップ１５を用いてケース１６の側面に係止されている。クリップ１５は、自立形電子部品１４をケース１６の側面に係止する役目をしているとともに、自立形電子部品１４の熱を放熱するための役目もしている。また、インバータ点灯装置１ａは、ケースの蓋であるとともに、クリップが外れないように押さえる役目もするケース蓋１６ａを備える。
【００５６】
図８に示すように、自立形電子部品１４が測定対象電子部品１１である場合には、自立形電子部品１４を止めているクリップ１５の近傍に温度測定ポイント６を配置する。例えば、温度測定ポイント６は、ケース蓋１６ａの側面のクリップ１５の近傍であるＰ１１点に設置される。また、温度測定ポイント６は、ケース蓋１６ａの上面のクリップ１５の近傍であるＰ１２点に設置されてもよい。あるいは、ケース１６のケース蓋１６ａではない部分でクリップ１５の近傍（例えば、Ｐ１３点）に設置されてもよい。
【００５７】
実施の形態４．
図９は、実施の形態４に係るインバータ点灯装置１の平面図である。実施の形態４に係るインバータ点灯装置１は、実施の形態１に係るインバータ点灯装置１と同様の構成をしているものとする。そして、温度測定ポイント６は、ケースの面のうちの測定対象電子部品１１に近い面（図９では上面）であり、測定対象電子部品１１の近接対向面１１１に対応する温度測定ポイント表示範囲６０の略中央に設置されている。
【００５８】
本実施の形態では、温度測定ポイント６（温度測定ポイント表示）は、液晶温度計で構成されている。液晶温度計とは、温度によって色が変化する片であり、紙片、プラスチック片等がある。例えば、色の変化が数字とともに現れる液晶表示のテープタイプで、緑色の数字を読みとるだけで温度がわかるような、デジタルサーモテープ等がある。
【００５９】
本実施の形態では、温度測定ポイント６の表示そのものを液晶温度計で示しているが、温度測定ポイント６（温度測定ポイント表示）の上に液晶温度計を貼付する等してもよい。
【００６０】
インバータ点灯装置１表面の温度測定ポイント６における温度測定方法は、通常、温度測定ポイント６の黒丸印（温度測定ポイント表示）などの箇所に熱電対を取付ける必要がる。測定者が測定をする場合、手間がかかる。そこで、本実施の形態のインバータ点灯装置１では、熱電対の代わりに液晶温度計を取付けられるようにした。あるいは、測定者は、液晶温度計の上からでも熱電対による温度測定をするとしてもよい。
【００６１】
液晶温度計を取付けることで、使用者が簡単に使用環境での温度測定をすることが可能である。温度測定ポイントに液晶温度計を取付けられるようにする事で、液晶温度計の色もしくはゲージで温度を見れば、インバータ点灯装置が使用可能か簡単に判断することができる。測定者は、より詳しい温度測定をしたい場合には、液晶温度計の上や近傍で熱電対による温度測定を行ってもよい。
【００６２】
実施の形態４のインバータ点灯装置１は、温度測定ポイント６が、液晶温度計（デジタルサーモテープ）で構成され、液晶温度計の色もしくはゲージでインバータ点灯装置１の使用可否を判断することができ、寿命を推定することができることを特徴とする。
【００６３】
以上、実施の形態１〜４について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００６４】
１，１ａ  インバータ点灯装置、２  本体、３  点灯装置収納ボックス、４  反射板、６  温度測定ポイント、１０  基板、１１  測定対象電子部品、１２  熱伝導性物質、１３  チップ部品、１４  自立形電子部品、１５  クリップ、１６  ケース、２１  取付面、２２  測定対象外電子部品、２３  電子部品取付面、３０  液晶温度計、６０，６０ａ，６０ｂ  温度測定ポイント表示範囲、６１  測定外範囲、１１１  近接対向面。
【図１】
2010232036.tif 000003
【図２】
2010232036.tif 000004
【図３】
2010232036.tif 000005
【図４】
2010232036.tif 000006
【図５】
2010232036.tif 000007
【図６】
2010232036.tif 000008
【図７】
2010232036.tif 000009
【図８】
2010232036.tif 000010
【図９】
2010232036.tif 000011